【事件の表示】
　特願２０１５−　７１２６７「遊技機」拒絶査定不服審判事件〔平成２８年１１月１０日出願公開、特開２０１６−１８９９０４〕について、次のとおり審決する。
【結　論】
　本件審判の請求は、成り立たない。
【理　由】
第１　手続の経緯
　本願は、平成２７年３月３１日に特許出願されたものであって、平成２８年１月２８日付けで拒絶理由通知がなされ、これに対して同年３月２４日に意見書及び手続補正書が提出されたが、同年４月１２日付けで拒絶査定がなされ、これに対して、同年７月１９日付けで拒絶査定不服審判の請求がなされ、当審において平成２９年４月１１日付けで拒絶理由が通知され、これに対して、同年６月７日に意見書及び手続補正書が提出されたものである。
第２　本願発明
　この出願の特許請求の範囲の請求項１に係る発明（以下、「本願発明」という。）は、平成２９年６月７日付けの手続補正書により補正された特許請求の範囲の請求項１に記載された事項により特定される、次のとおりのものである。
「【請求項１】
Ａ　遊技球の入球が困難または不可能な第１の態様と、前記第１の態様に比して遊技球の入球が容易な第２の態様とに変化可能な可変入賞装置と、
Ｂ　始動条件が成立した場合、前記可変入賞装置が前記第２の態様に変化するラウンド遊技を複数回行う特別遊技を実行するか否かを判定する特別遊技判定手段と、
Ｃ　前記特別遊技判定手段によって前記特別遊技を実行すると判定されたことを条件に、前記特別遊技の実行を制御する特別遊技制御手段と、
Ｄ　前記可変入賞装置への遊技球の入球を検出する入賞検出手段と、
Ｅ　前記入賞検出手段によって遊技球が検出されたことに基づいて、所定の情報を報知する情報報知手段と、を備え、
Ｆ　１回の前記ラウンド遊技は、前記可変入賞装置が前記第１の態様から前記第２の態様に変化することにより開始し、前記入賞検出手段によって予め設定された入球上限個数の入球が検出されると、前記可変入賞装置が前記第２の態様から前記第１の態様に変化することにより終了し、
Ｇ　前記情報報知手段は、
　　１回の前記ラウンド遊技中において、前記入賞検出手段によって前記入球上限個数を超える超過球が検出され、該検出された超過球の個数が所定の超過球数未満であれば、前記所定の情報として
該検出された超過球の個数に基づく情報
Ｈ　１回の前記ラウンド遊技中において、前記入賞検出手段によって前記入球上限個数を超える超過球が検出され、該検出された超過球の個数が所定の超過球数以上であれば、前記所定の情報として超過用エラー情報を報知する、ことを特徴とする遊技機。」
（下線部は補正箇所を示す。Ａ〜Ｈは、本願発明を分説するために当審で付与した。）
第３　当審における拒絶理由
　当審における平成２９年４月１１日付けの拒絶理由の概要は次のとおりである。
　本件出願の下記の請求項１に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
刊行物１：特開２０１３−２１２１３４号公報
刊行物２：特開２０１４−６８９０５号公報
第４　刊行物に記載された事項　
（１）刊行物１に記載された発明
　当審の拒絶理由で引用した本願の出願日前に頒布された刊行物である特開２０１３−２１２１３４号公報（以下、「刊行物１」という。）には、図面と共に次の事項が記載されている（下線は当審で付与した。以下同様。）。
（１−ア）「【００３１】第１可変入賞口２３４と第２可変入賞口２３５は、大入賞口またはアタッカーと呼ばれ、本実施形態では遊技盤２００の中央部下方と右下にそれぞれ１つずつ配設している。これらの
第１可変入賞口２３４と第２可変入賞口２３５は
閉鎖中は球の入球が不可能であり、
（１−イ）「【００３９】＜制御部＞次に、
図４を用いて、このパチンコ機１００の制御部の回路構成について詳細に説明する。なお、同図は制御部の回路ブロック図を示したものである。パチンコ機１００の制御部は、
主制御部３００
によって構成している。
・・・
【００４１】また、基本回路３０２には、水晶発振器３１６ａが出力するクロック信号を受信する度に０〜６５５３５の範囲で数値を変動させるハードウェア乱数カウンタとして使用しているカウンタ回路３１８（この回路には２つのカウンタを内蔵しているものとする）と、
所定の球検出センサ、例えば
可変入賞口を通過する遊技球を検出するセンサ
を含む各種センサ３２０
（１−ウ）「【００６５】これらの当否判定用テーブルには、特図確変の有無（特図高確率状態または特図低確率状態）と、特図大当り判定用の抽選値データと、特図変動遊技の当否結果が対応付けされて記憶されている。
主制御部３００
は、
当否結果を決定する大当り判定を行う。
（１−エ）「【０１１３】＜主制御部タイマ割込処理＞次に、
図１３を用いて、主制御部３００
が実行する主制御部タイマ割込処理について説明する。
同図は主制御部タイマ割込処理の流れを示す
（１−オ）「【０１３１】特図２変動表示時間が経過したタイミング（特図２表示図柄更新タイマの値が１から０になったタイミング）で開始する特図２状態更新処理では、図５（ａ）に示す特図Ａ〜特図Ｌのいずれか一つの図柄の確定表示を行う。さらにその後、所定の停止表示期間（例えば５００ｍ秒間）その表示を維持するためにＲＡＭ３０８に設けた特図２停止時間管理用タイマの記憶領域に停止期間を示す情報を設定する。この設定により、確定表示された特図２が所定期間停止表示され、特図２変動遊技の結果が遊技者に報知される。また、ＲＡＭ３０８に設けられた時短回数記憶部に記憶された時短回数が１以上であれば、その時短回数から１を減算し、減算結果が１から０となった場合は、特図確率変動中（詳細は後述）でなければ、時短フラグをオフする。さらに、
大当り遊技中（特別遊技状態中）
（１−カ）「【０１５３】ステップＳ３０６では、入賞異常対応処理を行う。詳細は後述するが、この
入賞異常対応処理では、
表示装置
で入賞異常の発生を報知してもよい
（１−キ）「【０１９５】ここで、ステップＳ１２０１の入賞報知条件が成立した場合には、例えば、（Ａ１）１ラウンドの終了条件として規定された最大入球数を超える入球があった場合（例えば、
１ラウンド目の終了条件として規定された最大入球数
第１可変入賞口２３４、第２可変入賞口２３５の入球センサが入球を検知する
（１−ク）「【０２６２】同図（ｃ−１）では、装飾図柄表示装置２０８の上部に、大当り遊技のラウンド数（この例では、
１Ｒ（１ラウンド
）
（１−ケ）「【０２７８】＜オーバー入賞報知＞次に、
オーバー入賞報知について説明する。
オーバー入賞とは、
最大入球数
を超える入球があり、かつ、この最大入球数を超えた入球を所定の球検出センサが検出して入球（入賞）と判定したことをいい、本実施形態では、オーバー入賞を２個まで認めている
【０２７９】＜オーバー入賞報知／最大入球後の１個のオーバー入賞の場合＞図４１（ａ）は、最大入球後に１個のオーバー入賞を検出した場合の入賞報知の実行タイミングを示した図であり、同図（ｂ）は、オーバー入賞の表示態様の一例を示した図である。ここで、同図の「扉開」は第１可変入賞口２３４の扉部材２３４ａ（または第２可変入賞口２３５の扉部材２３５ａ）が開放状態にあることを示し、「扉閉」は第１可変入賞口２３４の扉部材２３４ａ（または第２可変入賞口２３５の扉部材２３５ａ）が閉鎖状態にあることを示している。また、「検知有効」は
第１可変入賞口２３４
または第２可変入賞口２３５
に入球した球を、球検出センサで検出する
（１−コ）「【０２８６】
図４３（ａ）は、２個のオーバー入賞を検出した場合の他の入賞報知の実行タイミングを示した図であり、同図（ｂ）〜（ｃ）は、オーバー入賞の表示態様の一例を示した図である。
【０２８７】
この例では、大当り遊技の１Ｒ目の扉部材の開放期間中に１０個の入球（入賞）を検知したことを契機として１Ｒ目の遊技を終了しているが、当該遊技で２個のオーバー入賞（１１個目と１２個目の入球）を検出した
１個目のオーバー入賞に対応する第一入賞報知
当該２個目のオーバー入賞に対応する第二入賞報知
【０２８８】
第一入賞報知を行う期間では、同図（ｂ）に示すようなオーバー入賞報知
図柄表示装置２０８による画像と文字の表示
を行い
第二入賞報知を行う期間では、同図（ｃ）に示すようなオーバー入賞報知（
装飾図柄表示装置２０８による画像（第一入賞報知とは異なる画像）と文字（第一入賞報知とは異なる文字）の表示
）を開始している。
（１−サ）「【０２９１】＜異常発生報知＞次に、上述の入賞口カウンタ更新処理における入賞異常対応処理（ステップＳ３０６）の一例である異常発生報知について説明する。
図４５（ａ）は、
同図（ｂ）は、異常発生報知の態様の一例を示した図である。
・・・
【０２９３】続いて、入賞口カウンタ更新処理のステップＳ３０５では、
第１可変入賞口２３４
または第２可変入賞口２３５
の入賞数が、
異常判定値
以上の場合には入賞異常対応処理を行う
【０２９４】この例では、
入賞異常対応処理として、
同図（ｂ）に示すような異常発生報知（
装飾図柄表示装置２０８による画像と文字の表示
）を
行う
（１−シ）「【０３７３】以上説明したように、上記実施形態に係る
パチンコ機は、遊技球が
第１特図始動口２３０と、第２特図始動口２３２
に進入したことを条件に当否判定を実行可能な当否判定手段（
特図１関連抽選処理、特図２関連抽選処理）と、前記当否判定手段による前記当否判定の結果が
大当り
である場合に、
第二の制御状態
に制御状態を移行させる制御状態移行手段（例えば、特図１状態更新処理、特図２状態更新処理）
所定の閉状態および該閉状態よりも遊技球の入賞が容易な所定の開状態のうちの一方から他方に開閉状態を変化可能な可変入賞手段（
第１可変入賞口２３４、第２可変入賞口２３５）
所定の報知が可能な報知手段（
装飾図柄表示装置２０８
）
を備えた遊技台であって
第二の制御状態は、前記可変入賞手段を
開状態としてから
該可変入賞手段への第一の数（例えば、最大入球数）の遊技球の進入
の条件の成立に基づいて該可変入賞手段を前記所定の閉状態とするラウンド遊技状態を第二の数（例えば、１６回、４回、２回）だけ行う
大当り遊技
を含み
前記報知手段は、
ラウンド遊技状態中に前記第一の数を越える遊技球が前記可変入賞手段に進入した場合に
オーバー入賞報知
を行い、前記異常判定手段は、前記大当り遊技状態中に前記可変入賞手段に進入した遊技球が
異常判定数
に達した場合に異常と判定する
・・・
【０３７６】このような構成とすれば、一つの
ラウンド中に
過剰入賞
不正行為を防止する
【０３７７】また、前記記
報知手段は、前記異常判定手段が前記異常と判定した場合に、
報知
を行ってもよい。
【０３７８】このような構成とすれば、異常を検出した場合に、当該
異常を確実に伝達する
（１−ス）「【０４４２】また、上記実施形態に係るパチンコ機は、遊技球が始動領域に進入したことに基づいて生成した始動情報（例えば、乱数値）を記憶可能な始動情報記憶手段（例えば、ＲＡＭ３０８）と、前記始動情報記憶手段に記憶されている始動情報を取得し、取得した始動情報と該始動情報を取得したときの遊技状態に基づいて当否判定を行って当否判定結果を導出する当否判定手段（例えば、特図１関連抽選処理、特図２関連抽選処理）と、図柄の変動表示を行った後に前記当否判定結果に対応する図柄態様（例えば、特図Ａ〜特図Ｌ）を停止表示する図柄変動表示を行う図柄表示手段（例えば、第１特図表示装置２１２、第２特図表示装置２１４）と、前記図柄表示手段に特定の図柄態様が停止表示された後に
特別遊技状態に制御する遊技状態制御手段（例えば、特図１状態更新処理、特図２状態更新処理）
（１−セ）上記（１−ア）の、段落【００３９】には、「図４を用いて、このパチンコ機１００の制御部の回路構成について詳細に説明する。なお、同図は制御部の回路ブロック図を示したものである。」と記載されているから、
図４は、パチンコ機１００の制御部の回路ブロック図を示したものである
各種センサ３２０が制御部３００に接続された
　よって、図４には、
パチンコ機が備える「各種センサ３２０」
（１−ソ）図１３には、
「特図２状態更新処理」及び「特図１状態更新処理」を含むフローチャート
　よって、図１３には、
主制御部３００が実行する「特図２状態更新処理」及び「特図１状態更新処理」
（１−タ）上記（１−コ）における、段落【０２８６】の「図４３（ａ）は、２個のオーバー入賞を検出した場合の他の入賞報知の実行タイミングを示した図であり、同図（ｂ）〜（ｃ）は、オーバー入賞の表示態様の一例を示した図である。」との記載、段落【０２８７】の「１個目のオーバー入賞に対応する第一入賞報知・・・当該２個目のオーバー入賞に対応する第二入賞報知」との記載、及び段落【０２８８】の「第一入賞報知を行う期間では、同図（ｂ）に示すようなオーバー入賞報知・・・装飾図柄表示装置２０８による画像と文字の表示・・・を行い、第二入賞報知を行う期間では、同図（ｃ）に示すようなオーバー入賞報知（・・・装飾図柄表示装置２０８による画像（第一入賞報知とは異なる画像）と文字（第一入賞報知とは異なる文字）の表示・・・）を開始している。」との記載を参酌すると、図４３（ｂ）には、
装飾図柄表示装置２０８において、オーバー入賞の表示態様としての、１個目のオーバー入賞に対応する塗りつぶされたキャラクターの画像と「すごいね！！！」の文字とが表示されることが図示され、図４３（ｃ）には、オーバー入賞の表示態様としての、装飾図柄表示装置２０８において２個目のオーバー入賞に対応するパンダの画像と「超すごいね！！！」の文字とが表示される
（１−チ）上記（１−サ）における、段落【０２９１】の「図４５（ａ）は、・・・同図（ｂ）は、異常発生報知の態様の一例を示した図である。」との記載、及び段落【０２９４】の「同図（ｂ）に示すような異常発生報知（・・・装飾図柄表示装置２０８による画像と文字の表示・・・）を・・・行う。」との記載を参酌すると、図４５（ｂ）には、
装飾図柄表示装置２０８において、異常発生報知の態様としての爺の画像と「悪よのう。」の文字とが表示される
　上記（１−ア）〜（１−ス）の記載事項、及び上記（１−セ）〜（１−チ）で認定される図示内容より、以下の事項が導かれる。
（１−ツ）上記（１−ア）の段落【００３１】には、「第１可変入賞口２３４と第２可変入賞口２３５は・・・閉鎖中は球の入球が不可能であり、」と記載され、上記（１−シ）の段落【０３７３】には「パチンコ機は、・・・所定の閉状態および該閉状態よりも遊技球の入賞が容易な所定の開状態のうちの一方から他方に開閉状態を変化可能な可変入賞手段（・・・第１可変入賞口２３４、第２可変入賞口２３５）・・・を備えた遊技台であって」と記載されている。
　よって、上記（１−ア）、（１−シ）により、刊行物１には、
パチンコ機が、遊技球の入球が不可能な所定の閉状態または該閉状態よりも遊技球の入球が容易な所定の開状態とに変化可能な第１可変入賞口２３４及び第２可変入賞口２３５を備えた
（１−テ）上記（１−シ）の段落【０３７３】には、「パチンコ機は、遊技球が・・・第１特図始動口２３０と、第２特図始動口２３２・・・に進入したことを条件に当否判定を実行可能な当否判定手段（・・・特図１関連抽選処理、特図２関連抽選処理）と、前記当否判定手段による前記当否判定の結果が・・・大当り・・・である場合に、・・・第二の制御状態・・・に制御状態を移行させる・・・を備えた遊技台であって、前記第二の制御状態は、前記可変入賞手段を前記所定の開状態として・・・ラウンド遊技状態を第二の数（例えば、１６回、４回、２回）だけ行う・・・大当り遊技・・・を含み」と記載されている。この記載中の
「第二の数（例えば、１６回、４回、２回）」は複数回である
パチンコ機が、遊技球が第１特図始動口２３０または第２特図始動口２３２に進入したことを条件に、第１可変入賞口２３４または第２可変入賞口２３５を所定の開状態とするラウンド遊技状態を複数回行う大当り遊技に移行するか否かを判定する当否判定手段を備える
　また、上記（１−ウ）の段落【００６５】には、「主制御部３００・・・は、・・・当否結果を決定する大当り判定を行う。」と記載されているから、
主制御部３００により当否判定が行われる
　よって、上記（１−ウ）、（１−シ）により、刊行物１には、
パチンコ機は、遊技球が第１特図始動口２３０または第２特図始動口２３２に進入したことを条件に、第１可変入賞口２３４または第２可変入賞口２３５を開状態とするラウンド遊技状態を複数回行う大当り遊技に移行するか否かを判定する当否判定手段（主制御部３００）を備える
（１−ト）上記（１−ス）の段落【０４４２】には、「特別遊技状態に制御する遊技状態制御手段（例えば、特図１状態更新処理、特図２状態更新処理）」と記載され、上記（１−ソ）で認定された図１３の図示内容により、
「特図２状態更新処理」及び「特図１状態更新処理」は、主制御部３００が実行する
主制御部３００は、
すなわち、特別遊技の実行を制御する遊技状態制御手段である
　また、上記（１−オ）の段落【０１３１】には、「
大当り遊技中（特別遊技状態中）
特別遊技は、大当り遊技を意味する
　したがって、上記（１−オ）、（１−ス）、（１−ソ）により、
主制御部３００は、大当り遊技の実行を制御する
　また、上記（１−テ）の認定事項を参酌すると、
大当り遊技は、当否判定手段（主制御部３００）により大当り遊技に移行すると判定されると実行される
主制御部３００はパチンコ機が備える
　よって、上記（１−オ）、（１−ス）、（１−ソ）、（１−テ）により、刊行物１には、パチンコ機は、
当否判定手段（主制御部３００）により大当り遊技に移行すると判定されると、大当り遊技の実行を制御する遊技状態制御手段（主制御部３００）を備える
（１−ナ）上記（１−セ）で認定された図４の図示内容により、図４には、
パチンコ機が備える「各種センサ３２０」
　また、上記（１−イ）の段落【００４１】には、「所定の球検出センサ、例えば・・・可変入賞口を通過する遊技球を検出するセンサ・・・を含む各種センサ３２０」と記載され、上記（１−ケ）の段落【０２７９】には、「第１可変入賞口２３４・・・または第２可変入賞口２３５・・・に入球した球を、球検出センサで検出する」と記載されているから、
「各種センサ３２０」は、第１可変入賞口２３４又は第２可変入賞口２３５への遊技球の入球を検知する球検出センサを含む
　よって、上記（１−イ）、（１−ケ）、（１−セ）により、刊行物１には、
パチンコ機は、第１可変入賞口２３４又は第２可変入賞口２３５への遊技球の入球を検知する球検出センサを備える
（１−ニ）上記（１−シ）の段落【０３７３】には、「パチンコ機は、・・・可変入賞手段（・・・第１可変入賞口２３４、第２可変入賞口２３５）・・・所定の報知が可能な報知手段（・・・装飾図柄表示装置２０８・・・）・・・を備えた遊技台であって、・・・前記報知手段は、・・・第一の数を越える遊技球が前記可変入賞手段に進入した場合に・・・オーバー入賞報知・・・を行い、前記異常判定手段は、・・・前記可変入賞手段に進入した遊技球が・・・異常判定数・・・に達した場合に異常と判定する」と記載され、上記（１−シ）の段落【０３７７】には、「報知手段は、前記異常判定手段が前記異常と判定した場合に、・・・報知・・・を行ってもよい。」と記載されているから、
パチンコ機は、第一の数を越える遊技球が、第１可変入賞口２３４又は第２可変入賞口２３５に進入した場合のオーバー入賞報知、及び第１可変入賞口２３４又は第２可変入賞口２３５に進入した遊技球が異常判定数に達した場合の報知を行う装飾図柄表示装置２０８を備える
　また、上記（１−サ）の段落【０２９３】には、「第１可変入賞口２３４・・または第２可変入賞口２３５・・・の入賞数が、・・・異常判定値・・・以上の場合には入賞異常対応処理を行う」と記載され、上記（１−カ）の段落【０１５３】には、「入賞異常対応処理では、・・・入賞異常の発生を報知してもよい」と記載され、上記（１−サ）段落【０２９４】には、「入賞異常対応処理として、・・・異常発生報知・・・を・・・行う。」と記載されているから、
第１可変入賞口２３４または第２可変入賞口２３５の入賞数が、異常判定値以上の場合には入賞異常の発生を報知する
　したがって、上記（１−カ）、（１−サ）、（１−シ）により、
パチンコ機は、遊技球の第１可変入賞口２３４または第２可変入賞口２３５への進入に基づいて、オーバー入賞のあった旨及び入賞異常が発生した旨を報知する装飾図柄表示装置２０８を備える
　また、上記（１−ケ）の段落【０２７９】には、「第１可変入賞口２３４・・・または第２可変入賞口２３５・・・に入球した球を、球検出センサで検出する」と記載されているから、
第１可変入賞口２３４または第２可変入賞口２３５への遊技球の入球は、球検出センサにより、検出される
　よって、上記（１−カ）、（１−ケ）、（１−サ）、（１−シ）により、刊行物１には、
パチンコ機は、第１可変入賞口２３４または第２可変入賞口２３５への遊技球の入球を検出する球検出センサによって遊技球が検出されたことに基づいて、オーバー入賞があった旨及び異常発生があった旨を報知する装飾図柄表示装置２０８を備える
（１−ヌ）上記（１−シ）の段落【０３７３】には、「可変入賞手段（・・・第１可変入賞口２３４、第２可変入賞口２３５）・・・可変入賞手段を・・・開状態としてから・・・該可変入賞手段への・・・最大入球数・・・の遊技球の進入の・・・条件の成立に基づいて該可変入賞手段を前記所定の閉状態とするラウンド遊技状態を・・・１６回、４回、２回・・・・だけ行う」と記載されている。よって、
第１可変入賞口２３４または第２可変入賞口２３５を閉状態から開状態としてから、第１可変入賞口２３４または第２可変入賞口２３５への最大入球数の遊技球の進入により、第１可変入賞口２３４または第２可変入賞口２３５を開状態から閉状態とするラウンド遊技状態が、複数回行われる
　また、上記（１−キ）の段落【０１９５】には、「１ラウンド目の終了条件として規定された最大入球数」と記載されているから、
規定された最大入球数の入球により１ラウンド目が終了する
第１可変入賞口２３４または第２可変入賞口２３５に入球した球は、球検出センサで検出される
　したがって、上記（１−キ）、（１−ケ）、（１−シ）により、刊行物１には、
１回のラウンド遊技状態は、第１可変入賞口２３４または第２可変入賞口２３５が閉状態から開状態へと変化してから、第１可変入賞口２３４または第２可変入賞口２３５への遊技球の入球を検出する球検出センサによって規定された最大入球数の入球が検出されると、第１可変入賞口２３４または第２可変入賞口２３５が開状態から閉状態に変化して終了する
（１−ネ）上記（１−シ）の段落【０３７３】には、「可変入賞手段（・・・第１可変入賞口２３４、第２可変入賞口２３５）・・・第一の数（例えば、最大入球数）・・・ラウンド遊技状態を第二の数（例えば、１６回、４回、２回）だけ行う・・・ラウンド遊技状態中に前記第一の数を越える遊技球が前記可変入賞手段に進入した場合に・・・オーバー入賞報知・・・を行い」と記載されているから、第二の数（例えば、１６回、４回、２回）だけ行われるラウンド遊技状態において、
１回のラウンド遊技状態中に最大入球数を越える遊技球が第１可変入賞口２３４または第２可変入賞口２３５に進入した場合にオーバー入賞報知を行う
　また、上記（１−ケ）の段落【０２７８】には、「オーバー入賞報知について説明する。オーバー入賞とは、・・・最大入球数・・・を超える入球があり、かつ、この最大入球数を超えた入球を所定の球検出センサが検出して入球（入賞）と判定したことをいい、本実施形態では、オーバー入賞を２個まで認めている。」と記載されているから、
球検出センサによって、最大入球数を超え、所定のオーバー入賞数未満（３個未満）のオーバー入賞の遊技球が入球することにより、検出された最大入球数を超えたオーバー入賞の遊技球が、所定のオーバー入賞数未満の場合は、オーバー入賞報知を行う
「Ｒ」は「ラウンド」を意味する
　よって、上記（１−ケ）、（１−ク）、（１−シ）により、刊行物１には、
１回のラウンド遊技状態中における第１可変入賞口２３４または第２可変入賞口２３５に入球したオーバー入賞の遊技球が、球検出センサによって、最大入球数を超えるオーバー入賞の遊技球として検出され、当該検出されたオーバー入賞の遊技球の個数が、所定のオーバー入賞数未満であれば、オーバー入賞報知を行う
（１−ノ）上記（１−タ）により、図４３（ｂ）には、装飾図柄表示装置２０８において、オーバー入賞の表示態様として、１個目のオーバー入賞に対応する塗りつぶされたキャラクターの画像と「すごいね！！！」の文字とが表示されることが図示され、図４３（ｃ）には、オーバー入賞の表示態様として、装飾図柄表示装置２０８において、２個目のオーバー入賞に対応するパンダの画像と「超すごいね！！！」の文字とが表示されることが図示されている。
　よって、上記（１−タ）により、刊行物１には、
装飾図柄表示装置２０８によって、オーバー入賞があった旨として、１個目のオーバー入賞に対応する塗りつぶされたキャラクターの画像と「すごいね！！！」の文字との表示、及び２個目のオーバー入賞に対応するパンダの画像と「超すごいね！！！」の文字との表示といったオーバー入賞表示が行われる
（１−ハ）上記（１−ネ）及び（１−ノ）の認定事項により、刊行物１には、
装飾図柄表示装置２０８は、１回のラウンド遊技状態中における第１可変入賞口２３４または第２可変入賞口２３５に入球したオーバー入賞の遊技球が、球検出センサによって最大入球数を超えるオーバー入賞の遊技球として検出され、当該検出されたオーバー入賞の遊技球の個数が、所定のオーバー入賞数未満であれば、オーバー入賞があった旨として、１個目のオーバー入賞に対応する塗りつぶされたキャラクターの画像と「すごいね！！！」の文字との表示、及び２個目のオーバー入賞に対応するパンダの画像と「超すごいね！！！」の文字との表示といったオーバー入賞報知を行う
（１−ヒ）上記（１−シ）の段落【０３７３】には、「前記大当り遊技状態中に前記可変入賞手段に進入した遊技球が・・・異常判定数・・・に達した場合に異常と判定する」と記載され、上記（１−ケ）の段落【０２７９】には、「第１可変入賞口２３４・・・または第２可変入賞口２３５・・・に入球した球を、球検出センサで検出する」と記載され、上記（１−カ）の段落【０１５３】には、「入賞異常対応処理では、・・・表示装置・・・で入賞異常の発生を報知してもよい」と記載され、上記（１−サ）の段落【０２９４】には、「入賞異常対応処理として、・・・異常発生報知（・・・装飾図柄表示装置２０８による画像と文字の表示・・・）を・・・行う。」と記載されている。
　また、上記（１−チ）により、図４５（ｂ）には、装飾図柄表示装置２０８において、異常発生報知の態様としての爺の画像と「悪よのう。」の文字とが表示されることが図示されている。
　よって、上記（１−カ）、（１−ケ）、（１−サ）、（１−シ）、（１−チ）により、刊行物１には、
装飾図柄表示装置２０８は、大当り遊技状態中に、第１可変入賞口２３４または第２可変入賞口２３５への入球を検出する球検出センサによって検出された遊技球の個数が異常判定値以上であれば、異常発生があった旨として、爺の画像と「悪よのう。」の文字とを表示する
　上記（１−ア）〜（１−ス）の記載事項、上記（１−セ）〜（１−チ）で認定された図示内容、及び上記（１−ツ）〜（１−ヒ）の認定事項から、刊行物１には、遊技機に関し、以下の技術事項（以下、「刊行物１発明」という。）が記載されていると認められる。
「ａ　遊技球の入球が不可能な所定の閉状態または該閉状態よりも遊技球の入球が容易な所定の開状態とに変化可能な第１可変入賞口２３４及び第２可変入賞口２３５と（上記認定事項（１−ツ））、
ｂ　遊技球が第１特図始動口２３０または第２特図始動口２３２に進入したことを条件に、第１可変入賞口２３４または第２可変入賞口２３５を開状態とするラウンド遊技状態を複数回行う大当り遊技に移行するか否かを判定する当否判定手段（主制御部３００）と（上記認定事項（１−テ））、
ｃ　当否判定手段（主制御部３００）により大当り遊技に移行すると判定されると、大当り遊技の実行を制御する遊技状態制御手段（主制御部３００）（上記認定事項（１−ト））と、　
ｄ　第１可変入賞口２３４または第２可変入賞口２３５への遊技球の入球を検知する球検出センサと（上記認定事項（１−ナ））、
ｅ　第１可変入賞口２３４または第２可変入賞口２３５への遊技球の入球を検出する球検出センサによって遊技球が検出されたことに基づいて、オーバー入賞があった旨及び異常発生があった旨を報知する装飾図柄表示装置２０８と、を備え（上記認定事項（１−ニ））、
ｆ　１回のラウンド遊技状態は、第１可変入賞口２３４または第２可変入賞口２３５が閉状態から開状態へと変化してから、第１可変入賞口２３４または第２可変入賞口２３５への遊技球の入球を検出する球検出センサによって規定された最大入球数の入球が検出されると、第１可変入賞口２３４または第２可変入賞口２３５が開状態から閉状態に変化して終了し（上記認定事項（１−ヌ））、
ｇ　装飾図柄表示装置２０８は、
　　　１回のラウンド遊技状態中における第１可変入賞口２３４または第２可変入賞口２３５に入球したオーバー入賞の遊技球が、球検出センサによって最大入球数を超えるオーバー入賞の遊技球として検出され、当該検出されたオーバー入賞の遊技球の個数が、所定のオーバー入賞数未満であれば、オーバー入賞があった旨として、１個目のオーバー入賞に対応する塗りつぶされたキャラクターの画像と「すごいね！！！」の文字との表示、及び２個目のオーバー入賞に対応するパンダの画像と「超すごいね！！！」の文字との表示、といったオーバー入賞報知を行い（上記認定事項（１−ハ））、
ｈ　　大当り遊技状態中に、第１可変入賞口２３４または第２可変入賞口２３５への入球を検出する球検出センサによって検出された遊技球の個数が異常判定値以上であれば、異常発生があった旨として、爺の画像と「悪よのう。」の文字とを表示する、
パチンコ機（上記認定事項（１−ヒ））。」
（２）刊行物２に記載された技術的事項
　当審の拒絶理由で引用した本願の出願日前に頒布された刊行物である特開２０１４−６８９０５号公報（以下、「刊行物２」という。）には、図面と共に次の事項が記載されている。
（２−ア）「【０００２】従来、
不正により可変入賞装置に遊技球が入賞した場合に、これを検知して、異常を報知する
・・・
【０００５】しかしながら、特許文献１のパチンコ遊技機は、特別遊技状態において遊技球が何度も過剰入賞した場合や、開閉扉が閉鎖しているラウンド間インターバルに
不正に遊技球を入賞させた場合
異常入賞に対する対策
【０００６】本発明は、このような事情に鑑みてなされたものであり、
特別遊技状態において異常入賞が発生したか否かを判定する
（２−イ）「【００８１】演出制御基板２５には、スピーカ７、枠装飾ＬＥＤ８、盤面装飾ＬＥＤ３５、ボリュームスイッチ３１、左演出ボタン１３、中央演出ボタン１４が接続されている。演出制御基板２５（特に、ＣＰＵ２５１）は、例えば、
パチンコ遊技機１
（２−ウ）「【００９１】
開閉扉が開放しているとき、遊技球が大入賞口に入賞すると、大入賞口センサにより入賞が検出される。
（２−エ）「【００９０】まず、特別遊技が開始すると使用する
大入賞装置の開閉扉が開放し（ＯＮ（開））、遊技球が入球可能となる
最大入賞数の入賞により開閉扉が閉鎖する
（２−オ）「【００９４】通常、開閉扉が閉鎖すると大入賞装置に遊技球が入球しないが、
開閉扉が閉鎖する間際に、遊技球が
流入する
最大入賞数を超えて入賞する
過剰入賞と呼ばれている。
【００９５】２球までの過剰入賞は、稀に発生することがあるので、異常入賞と判定しない。しかし
、過剰入賞が３球以上の場合には、
異常入賞
を報知する
【００９６】異常報知の態様１（異常報知１）では、第１ラウンドの開始から１３球目（
３球の過剰入賞
が検出された時点で、異常入賞の報知
報知は
液晶表示装置３６にエラーを表示してもよい。
（２−カ）「【０２１９】上記のように、実施例１の弾球遊技機は、特別遊技中の開閉手段が閉状態であるとき、
一定個数以上の遊技球が検出されると異常入賞と判定することができる
特別遊技中の異常入賞について、
異常の報知が行えるので、特別遊技中に不正に出玉を獲得しようとする行為を発見するのに役立つ
（２−キ）段落【００９０】の「
大入賞装置の開閉扉が開放し（ＯＮ（開））・・・最大入賞数の入賞により開閉扉が閉鎖する
大入賞装置が開放してから、最大入賞数の入賞により大入賞装置が閉鎖するまでの、１回のラウンド
　上記（２−ア）〜（２−カ）の記載事項及び上記（２−キ）で認定される図示内容により、以下の事項が導かれる。
（２−ク）上記（２−エ）の段落【００９０】には、「大入賞装置の開閉扉が開放し（ＯＮ（開））、遊技球が入球可能となる。」と記載され、上記（２−オ）の段落【００９４】には「開閉扉が閉鎖する間際に、遊技球が・・・流入する・・・最大入賞数を超えて入賞する・・・過剰入賞と呼ばれている。」と記載されており、段落【００９４】に記載の「
開閉扉が閉鎖する間際」に、遊技球が最大入賞数を超えて入賞する過剰入賞は、大入賞装置の開閉扉は
開放されているときの入賞である
　よって、上記（２−エ）、（２−オ）の記載事項及び上記（２−キ）で認定される図示内容により、刊行物２には、
大入賞装置が開放してから、最大入賞数の入賞により大入賞装置が閉鎖するまでの、１回のラウンド中に、最大入賞数を超えて大入賞口に入賞する過剰入賞の遊技球
（２−ケ）上記（２−ウ）の段落【００９１】には、「遊技球が大入賞口に入賞すると、大入賞口センサにより入賞が検出される。」と記載され、上記（２−オ）の段落【００９６】には「３球の過剰入賞・・・が検出された時点で、異常入賞の報知・・・報知は、・・・液晶表示装置３６にエラーを表示してもよい。」と記載されている。
　上記（２−ウ）、（２−オ）に加え上記（２−ク）の認定事項により、刊行物２には、
大入賞装置が開放してから、最大入賞数の入賞により大入賞装置が閉鎖するまでの、１回のラウンド中において、最大入賞数を超えて大入賞口に入賞する過剰入賞の遊技球が、大入賞口センサによって過剰入賞の遊技球として検出され、当該検出された過剰入賞の遊技球の個数が、所定の過剰入賞数以上であれば、液晶表示装置３６にエラーを表示することについて記載されている
　上記（２−ア）〜（２−カ）の記載事項及び（２−キ）〜（２−ケ）の認定事項から、刊行物２には、遊技機に関し、以下の技術事項（以下、「刊行物２に記載された技術的事項」という。）が記載されていると認められる。
「大入賞装置が開放してから、最大入賞数の入賞により大入賞装置が閉鎖するまでの、１回のラウンド中において、最大入賞数を超えて大入賞口に入賞する過剰入賞の遊技球が、大入賞口センサによって過剰入賞の遊技球として検出され、当該検出された過剰入賞の遊技球の個数が、所定の過剰入賞数以上であれば、液晶表示装置３６にエラーを表示する（上記認定事項（２−ケ））、
パチンコ遊技機１（上記記載事項（２−イ））。」
第５　対比・判断
　本願発明と刊行物１発明とを対比させる。なお、刊行物１発明のａ〜ｈに対応して見出し（ａ）〜（ｈ）を付した。
（ａ）刊行物１発明の「遊技球の入球が不可能な所定の閉状態」、「該閉状態よりも遊技球の入球が容易な所定の開状態」及び「第１可変入賞口２３４及び第２可変入賞口２３５」は、それぞれ、本願発明の「遊技球の入球が困難または不可能な第１の態様」、「前記第１の態様に比して遊技球の入球が容易な第２の態様」及び「可変入賞装置」に相当する。
　よって、刊行物１発明の「遊技球の入球が不可能な所定の閉状態または該閉状態よりも遊技球の入球が容易な所定の開状態とに変化可能な第１可変入賞口２３４及び第２可変入賞口２３５」は、本願発明の「遊技球の入球が困難または不可能な第１の態様と、前記第１の態様に比して遊技球の入球が容易な第２の態様とに変化可能な可変入賞装置」に相当する。
（ｂ）刊行物１発明の「遊技球が第１特図始動口２３０または第２特図始動口２３２に進入したこと」は、本願発明の「始動条件が成立した」ことに相当する。
　また、上記（ａ）で検討したように刊行物１発明の「開状態」は本願発明の「前記第２の態様」に相当し、刊行物１発明の「第１可変入賞口２３４」及び「第２可変入賞口２３５」は本願発明の「前記可変入賞装置」に相当する。
　また、刊行物１発明の「ラウンド遊技状態」、「大当り遊技」及び「当否判定手段（主制御部３００）」は、それぞれ、本願発明の「ラウンド遊技」、「特別遊技」及び「特別遊技判定手段」に相当する。
　よって、刊行物１発明の「遊技球が第１特図始動口２３０または第２特図始動口２３２に進入したことを条件に、第１可変入賞口２３４または第２可変入賞口２３５を開状態とするラウンド遊技状態を複数回行う大当り遊技に移行するか否かを判定する当否判定手段（主制御部３００）」は、本願発明の「始動条件が成立した場合、前記可変入賞装置が前記第２の態様に変化するラウンド遊技を複数回行う特別遊技を実行するか否かを判定する特別遊技判定手段」に相当する。
（ｃ）上記（ｂ）で検討したように、刊行物１発明の「当否判定手段（主制御部３００）」及び「大当り遊技」は、本願発明の「前記特別遊技判定手段」及び「前記特別遊技」に相当する。
　よって、刊行物１発明の「当否判定手段（主制御部３００）により大当り遊技に移行すると判定されると、大当り遊技の実行を制御する遊技状態制御手段（主制御部３００）」は、本願発明の「前記特別遊技判定手段によって前記特別遊技を実行すると判定されたことを条件に、前記特別遊技の実行を制御する特別遊技制御手段」に相当する。
（ｄ）上記（ａ）で検討したように、刊行物１発明の「第１可変入賞口２３４」及び「第２可変入賞口２３５」は、本願発明の「前記可変入賞装置」に相当する。
　よって、刊行物１発明の「第１可変入賞口２３４または第２可変入賞口２３５への遊技球の入球を検知する球検出センサ」は、本願発明の「前記可変入賞装置への遊技球の入球を検出する入賞検出手段」に相当する。
（ｅ）上記（ｄ）で検討したように、刊行物１発明の「第１可変入賞口２３４または第２可変入賞口２３５への遊技球の入球を検出する球検出センサ」は、本願発明の「前記入賞検出手段」に相当する。また、刊行物１発明の「オーバー入賞した旨」と、「異常発生があった旨」とは、本願発明の「所定の情報」に相当するから、刊行物１発明の「オーバー入賞があった旨及び異常発生があった旨を報知する」ことは、本願発明の「所定の情報を報知する」ことに相当する。
　よって、刊行物１発明の「第１可変入賞口２３４または第２可変入賞口２３５への遊技球の入球を検出する球検出センサによって遊技球が検出されたことに基づいて、オーバー入賞があった旨及び異常発生があった旨を報知する装飾図柄表示装置２０８」は、本願発明の「入賞検出手段によって遊技球が検出されたことに基づいて、所定の情報を報知する情報報知手段」に相当する。
（ｆ）上記（ｂ）で検討したように、刊行物１発明の「ラウンド遊技状態」は、本願発明の「ラウンド遊技」に相当し、上記（ａ）で検討したように、刊行物１発明の「第１可変入賞口２３４」及び「第２可変入賞口２３５」は本願発明の「前記可変入賞装置」に相当し、刊行物１発明の「閉状態」及び「開状態」は、それぞれ、本願発明の「前記第１の態様」及び「前記第２の態様」に相当する。また、「第１可変入賞口２３４または第２可変入賞口２３５への遊技球の入球を検出する球検出センサ」は、本願発明の「前記入賞検出手段」に相当する。また、刊行物１発明の「規定された最大入球数」は、本願発明の「予め設定された入球上限個数」に相当する。
　よって、刊行物１発明の「１回のラウンド遊技状態は、第１可変入賞口２３４または第２可変入賞口２３５が閉状態から開状態へと変化してから、第１可変入賞口２３４または第２可変入賞口２３５への遊技球の入球を検出する球検出センサによって規定された最大入球数の入球が検出されると、第１可変入賞口２３４または第２可変入賞口２３５が開状態から閉状態に変化して終了」することは、本願発明の「１回の前記ラウンド遊技は、前記可変入賞装置が前記第１の態様から前記第２の態様に変化することにより開始し、前記入賞検出手段によって予め設定された入球上限個数の入球が検出されると、前記可変入賞装置が前記第２の態様から前記第１の態様に変化することにより終了」することに相当する。
（ｇ）上記（ａ）で検討したように、刊行物１発明の「第１可変入賞口２３４」及び「第２可変入賞口２３５」は本願発明の「前記可変入賞装置」に相当し、上記（ｂ）で検討したように、刊行物１発明の「ラウンド遊技状態」は、本願発明の「ラウンド遊技」に相当し、上記（ｄ）で検討したように、刊行物１発明の「球検出センサ」は、本願発明の「前記入賞検出手段」に相当する。
　また、上記（ｅ）で検討したように、刊行物１発明の「装飾図柄表示装置２０８」は本願発明の「情報報知手段」に相当し、刊行物１発明の「オーバー入賞があった旨」は本願発明の「所定の情報」に相当する。また、上記（ｆ）で検討したように、刊行物１発明の「最大入球数」は、本願発明の「入球上限個数」に相当する。
　また、刊行物１発明の「オーバー入賞の遊技球」は本願発明の「超過球」に相当し、刊行物１発明の「所定のオーバー入賞数」は本願発明の「所定の超過球数」に相当するから、刊行物１発明の「検出されたオーバー入賞の遊技球の個数が、所定の個数未満であ」ることは、本願発明の「該検出された超過球の個数が所定の超過球数未満であ」ることに相当する。
　ここで、本願発明の構成Ｇにおいて「前記所定の情報として該検出された超過球の個数に基づく情報を報知する」こととなる「１回の前記ラウンド遊技中において、前記入賞検出手段によって前記入球上限個数を超える超過球が検出され、該検出された超過球の個数が所定の超過球数未満である」場合について検討する。本願明細書の段落【０２１５】、【０２２１】〜【０２２２】、【０３０４】、【０４５５】〜【０４６９】を参照すると、「大当たり遊技」において「大入賞口８」が開放されてから、次に大入賞口が開放される直前までの間」（段落【０３０４】）に、「大入賞口検出センサ８ａ」（段落【０２１５】）により検出された遊技球の個数（カウンタ値Ｄ）が、所定の範囲（「１０」以上「１４」以下）（段落【０２２１】、【０４６６】）であることを条件に「オーバー入賞情報」の「表示」（段落【０４５９】、【０４６８】）を行うことについて記載されているから、オーバー入賞情報の表示を行うかどうかの判断に用いられる遊技球の個数（カウンタ値Ｄ）は、「大入賞口８」が開放されている時のみに検出された遊技機の個数でなく、「大入賞口８」が開放されている時に入球した遊技球であれば、「大入賞口８」が閉鎖された後に検出された遊技球であっても計数対象としたものであるといえる。
　本願明細書における上記の記載を参酌すると、本願発明においては、「１回の前記ラウンド遊技中」の期間（「可変入賞装置」が「前記第１の態様に比して遊技球の入球が容易な第２の態様」となっている間）に
検出
入球
　したがって、本願発明の構成Ｇにおいて「前記所定の情報として該検出された超過球の個数に基づく情報を報知する」こととなる、「１回の前記ラウンド遊技中において、前記入賞検出手段によって前記入球上限個数を超える超過球が検出され、該検出された超過球の個数が所定の超過球数未満であ」る場合とは、実質的には、１回の前記ラウンド遊技中における可変入賞装置に
入球
　そうすると、刊行物１発明の「１回のラウンド遊技状態中における第１可変入賞口２３４または第２可変入賞口２３５に入球したオーバー入賞の遊技球が、球検出センサによって最大入球数を超えるオーバー入賞の遊技球として検出され、当該検出されたオーバー入賞数が、所定のオーバー入賞数未満」であることは、本願発明の「１回の前記ラウンド遊技中において、前記入賞検出手段によって前記入球上限個数を超える超過球が検出され、該検出された超過球の個数が所定の超過球数未満」であることに含まれる。
　そして、刊行物１発明における「最大入球数を超えるオーバー入賞の遊技球」は、「球検出センサによって」「検出される」ものであるから、刊行物１発明の「１個目のオーバー入賞」及び「２個目のオーバー入賞」は、本願発明の「検出された超過球」に相当する。したがって、刊行物１発明の「１個目のオーバー入賞に対応する塗りつぶされたキャラクターの画像と「すごいね！！！」の文字」及び「２個目のオーバー入賞に対応するパンダの画像と「超すごいね！！！」の文字」は、カウント値に応じて報知されるものであるから本願発明における「該検出された超過球の個数に基づく情報」に相当する。
　よって、刊行物１発明の「装飾図柄表示装置２０８は、１回のラウンド遊技状態中における第１可変入賞口２３４または第２可変入賞口２３５に入球したオーバー入賞の遊技球が、球検出センサによって最大入球数を超えるオーバー入賞の遊技球として検出され、当該検出されたオーバー入賞の遊技球の個数が、所定のオーバー入賞数未満であれば、オーバー入賞があった旨として、１個目のオーバー入賞に対応する塗りつぶされたキャラクターの画像と「すごいね！！！」の文字との表示、及び２個目のオーバー入賞に対応するパンダの画像と「超すごいね！！！」の文字との表示、といったオーバー入賞報知を行」う構成は、本願発明の構成Ｇに相当する。
（ｈ）　上記（ａ）で検討したように、刊行物１発明の「第１可変入賞口２３４」及び「第２可変入賞口２３５」は本願発明の「前記可変入賞装置」に相当し、上記（ｄ）で検討したように、刊行物１発明の「球検出センサ」は、本願発明の「前記入賞検出手段」に相当し、刊行物１発明の「異常判定値」と、本願発明の「所定の超過球数」は、所定の入球上限値を超えたときの球数である点で共通する。また、上記（ｅ）で検討したように、刊行物１発明における「異常発生があった旨」は、本願発明の「所定の情報」に相当する。
　また、刊行物１発明の「爺の画像と「悪よのう。」の文字」は、本願発明の「超過用エラー情報」に相当するから、刊行物１発明の「異常発生があった旨としての、爺の画像と「悪よのう。」の文字とを表示する」ことは、本願発明の「前記所定の情報として超過用エラー情報を報知する」ことに相当する。
　そして、本願発明の「１回の前記ラウンド遊技中」は本願発明の構成Ｂにおける「特別遊技」中における所定の期間中であり、上記（ｂ）で検討したように、刊行物１発明の「大当り遊技」は本願発明の「特別遊技」に相当するから、刊行物１発明の「大当り遊技状態中」と、本願発明の「１回の前記ラウンド遊技中」とは、「特別遊技」が実行される所定の期間中である点で共通する。
　よって、刊行物１発明の「大当り遊技状態中に、第１可変入賞口２３４または第２可変入賞口２３５への入球を検出する球検出センサによって検出された遊技球の個数が異常判定値以上であれば、異常発生があった旨として、爺の画像と「悪よのう。」の文字とを表示する」ことは、本願発明の「１回の前記ラウンド遊技中において、前記入賞検出手段によって前記入球上限個数を超える超過球が検出され、該検出された超過球の個数が所定の入球上限値を超えた球数であれば、前記所定の情報として超過用エラー情報を報知する」ことと、「特別遊技が実行される所定の期間中において、前記入賞検出手段によって検出された球数が所定の入球上限値を超えた球数であれば、前記所定の情報として超過用エラー情報を報知する」ことで共通する。
　また、刊行物１発明の「パチンコ機」は、本願発明の「遊技機」に相当する。
　上記（ａ）〜（ｈ）における検討事項により、本願発明と刊行物１発明とは、
［一致点］
「Ａ　遊技球の入球が困難または不可能な第１の態様と、前記第１の態様に比して遊技球の入球が容易な第２の態様とに変化可能な可変入賞装置と、
Ｂ　始動条件が成立した場合、前記可変入賞装置が前記第２の態様に変化するラウンド遊技を複数回行う特別遊技を実行するか否かを判定する特別遊技判定手段と、
Ｃ　前記特別遊技判定手段によって前記特別遊技を実行すると判定されたことを条件に、前記特別遊技の実行を制御する特別遊技制御手段と、
Ｄ　前記可変入賞装置への遊技球の入球を検出する入賞検出手段と、
Ｅ　前記入賞検出手段によって遊技球が検出されたことに基づいて、所定の情報を報知する情報報知手段と、を備え、
Ｆ　１回の前記ラウンド遊技は、前記可変入賞装置が前記第１の態様から前記第２の態様に変化することにより開始し、前記入賞検出手段によって予め設定された入球上限個数の入球が検出されると、前記可変入賞装置が前記第２の態様から前記第１の態様に変化することにより終了し、
Ｇ　前記情報報知手段は、
　　１回の前記ラウンド遊技中において、前記入賞検出手段によって前記入球上限個数を超える超過球が検出され、該検出された超過球の個数が所定の超過球数未満であれば、前記所定の情報として該検出された超過球の個数に基づく情報を報知する一方、
Ｈ’　特別遊技が実行される所定の期間中において、前記入賞検出手段によって検出された球数が所定の入球上限値を超えた球数であれば、前記所定の情報として超過用エラー情報を報知する、遊技機。」
で一致し、以下の点で相違する。
［相違点］
　「特別遊技が実行される所定の期間中において、前記入賞検出手段によって検出された球数が所定の入球上限値を超えた球数であれば、前記所定の情報として超過用エラー情報を報知する」ことが、本願請求項１に係る発明では、「１回の前記ラウンド遊技中において、前記入賞検出手段によって前記入球上限個数を超える超過球が検出され、該検出された超過球の個数が所定の超過球数以上」であることを条件とするのに対して、刊行物１に記載された発明では、「大当り遊技状態中に、第１可変入賞口２３４または第２可変入賞口２３５への入球を検出する球検出センサによってされた個数が異常判定値以上」であることを条件とする点。
　
　ここで、上記相違点に係る本願発明の構成において「前記所定の情報として超過用エラー情報を報知する」こととなる、「１回の前記ラウンド遊技中において、前記入賞検出手段によって前記入球上限個数を超える超過球が検出され、該検出された超過球の個数が所定の超過球数以上であ」る場合について検討する。
　本願明細書の段落【０２１５】、【０２２１】〜【０２２２】、【０３０４】、【０４５５】〜【０４６６】、【０４７１】〜【０４７２】を参照すると、「大当たり遊技」において「大入賞口８」が開放されてから、次に大入賞口が開放される直前までの間」（段落【０３０４】）に、「大入賞口検出センサ８ａ」（段落【０２１５】）により検出された遊技球の個数（カウンタ値Ｄ）が、所定の範囲（「１５」以上である）（段落【０２２１】、【０４６６】）であることを条件に「エラー情報」の「表示」（段落【０４６９】、【０４７１】〜【０４７２】）を行うことについて記載されているから、エラー情報の表示を行うかどうかの判断に用いられる遊技球の個数（カウンタ値Ｄ）は、１回のラウンド中の「大入賞口８」が開放されている時に
検出
入球
　よって、相違点に係る本願発明の構成において「前記所定の情報として超過用エラー情報を報知する」こととなる、「１回の前記ラウンド遊技中において、前記入賞検出手段によって前記入球上限個数を超える超過球が検出され、該検出された超過球の個数が所定の超過球数以上」の場合とは、実質的には、「１回の前記ラウンド遊技中における可変入賞装置に入球した超過球が、前記入賞検出手段によって前記入球上限個数を超える超過球として検出され、該検出された超過球の個数が所定の超過球数以上」である場合を含むといえる。
　次に、上記の相違点に係る本願発明の構成についての検討事項を踏まえた上で、当該相違点に係る本願発明の構成が、当業者が容易になし得たものであるか否かについて検討する。
　上記第４の（２）で認定したように、刊行物２には、「大入賞装置が開放してから、最大入賞数の入賞により大入賞装置が閉鎖するまでの、１回のラウンド中において、最大入賞数を超えて大入賞口に入賞する過剰入賞の遊技球が、大入賞口センサによって過剰入賞の遊技球として検出され、当該検出された過剰入賞の遊技球の個数が、所定の過剰入賞数以上であれば、液晶表示装置３６にエラーを表示する、パチンコ遊技機１」について記載されている。
　そして、上記の相違点に係る本願発明の構成についての検討事項を参酌すれば、刊行物２に記載された技術的事項における、「大入賞装置が開放してから、最大入賞数の入賞により大入賞装置が閉鎖するまでの、１回のラウンド中において、最大入賞数を超えて大入賞口に入賞する過剰入賞の遊技球が、大入賞口センサによって過剰入賞の遊技球として検出され、当該検出された過剰入賞の遊技球の個数が、所定の過剰入賞数以上であ」る場合は、上記相違点に係る本願発明の構成における、「１回の前記ラウンド遊技中において、前記入賞検出手段によって前記入球上限個数を超える超過球が検出され、該検出された超過球の個数が所定の超過球数以上」の場合に含まれる。
　一方、刊行物１発明は、１回のラウンド遊技状態でなく複数のラウンド遊技状態を行う特別遊技にわたって検出される遊技球の個数が異常判定値以上である場合に、異常発生があった旨の報知を行うものである。
　そして、刊行物１発明は、ラウンド中の過剰入賞に関して、不正行為の防止（段落【０３７６】）及び異常の確実な伝達（段落【０３７８】）を目的としており、刊行物２に記載された技術的事項は、特別遊技状態での不正行為による異常入賞の判定を行い、不正行為を発見することを目的とするものであるから（段落【０００２】、【０００５】〜【０００６】、【０２１９】）、刊行物１発明及び刊行物２発明は、パチンコ機において、大当り中の所定の期間内において、遊技者の不正行為を防止するという共通の課題を解決するものである。また、複数ラウンドにわたる遊技球の個数、或いは、１回のラウンドにおける遊技球の個数の、何れに基づいて遊技者の不正防止のための報知をする判定を行うかは、検出頻度や、検出精度等を考慮し、不正防止を効果的に行うために当業者が適宜選択し得ることである。
　よって、遊技者の不正による異常入賞を迅速に発見して不正行為を防止するために、刊行物１に記載された発明の超過用エラー情報を報知する条件として、刊行物１に記載された発明の条件に代え、刊行物２に記載された技術事項の、１回のラウンド遊技中で大入賞装置に入賞した超過球が、大入賞口センサ（入賞検出手段）によって過剰入賞（超過球）として検出され、当該検出された超過球の個数が所定の超過球数以上である条件を適用し、上記相違点に係る本願発明の構成とすることは、当業者にとって容易である。
　
　ところで、出願人は、平成２９年６月７日付けの意見書において、
「具体的には、刊行物１には、オーバー入賞する毎にキャラクタ画像とセリフ画像を表示することが開示されていますが、オーバー入賞した個数が増加しても、表示されるキャラクタ画像やセリフ画像は同一のものであるため、オーバー入賞した個数に応じて報知される情報が変化するようなものではありません。
　してみれば、刊行物１は、オーバー入賞した個数に基づく情報を報知しているようなものではなく、この点において本願発明とは構成要件及び作用効果の面で相違します。」
と主張する。
　請求人の上記主張について検討する。
　上記第４の（１）で示したように、刊行物１発明は、「装飾図柄表示装置２０８は、１回のラウンド遊技状態中における第１可変入賞口２３４または第２可変入賞口２３５に入球したオーバー入賞の遊技球が、球検出センサによって最大入球数を超えるオーバー入賞の遊技球として検出され、当該検出されたオーバー入賞の遊技球の個数が、所定のオーバー入賞数未満であれば、オーバー入賞があった旨として、１個目のオーバー入賞に対応する塗りつぶされたキャラクターの画像と「すごいね！！！」の文字との表示、及び２個目のオーバー入賞に対応するパンダの画像と「超すごいね！！！」の文字との表示、といったオーバー入賞報知を行」う構成ｇ、すなわち、オーバー入賞した個数に応じて、キャラクタの内容、及び、文字の内容を変化させるものであり、オーバー入賞した個数に基づく情報を報知する構成を有するものであるといえる。
　したがって、請求人の上記主張を採用することはできない。
　よって、本願発明は、刊行物１発明及び刊行物２に記載された技術的事項に基づいて当業者が容易に発明をすることができたものであるから、特許法第２９条第２項の規定により特許を受けることができない。
第６　むすび　　　　
　以上のとおり、本願発明は、特許法第２９条第２項の規定に基づいて特許を受けることができないものである。　
　したがって、その余の請求項について検討するまでもなく、本願は拒絶すべきである。　　　
　よって、結論のとおり審決する。